(57)【要約】【課題】ボルトは、迅速性、軽量化、簡単、安価であることが大切であり、増し締めがないように確実に固定できるポール型ガイドピンボルトを提供する。【解決手段】ボルト頭部ＡとＢを設け、左右に頭部の溝、頭部に正三角形の形をした３本のガイドピンボルトは、確実に固定、４、Ｂには頭部にネジ山を使用し、２重に完全に固定するのである。部材を２つ程もち、ボルト本来の特性を生かして、とりおこなうものである。【選択図】図１
2019190648.tif 000002
【特許請求の範囲】
【請求項１】
ボルト頭部とボルト軸にＭ３＝０，５ｍｍのネジ山を施したポール型ガイドピンボルトである。ボルトにタングステンの素材を用いるのである。
【請求項２】
強力なフエライト磁石、ボルト頭部から１７ｍｍとボルト軸部１９ｍｍの長さから成るボルトである。
【請求項３】
ボルト軸より２，５ｍｍ程の厚みの右側のボルト頭部である。このボルト４、からガイドピンボルトを回してからフエライト磁石に貫通するのである。
【請求項４】
４、ボルトがガイドピンボルトとフエライト磁石により確実に支えられ、ボルトネジ本来の特性を生かしていくものである。
【請求項５】
１、Ａのボルト頭部、３、はネジの山がＭ３＝０，５ｍｍで金属疲労が少なく、又、負荷への利用価値が大変高い。
【請求項６】
６〜９はθ＝９０°で三角関数的に０°、９０°、１８０°、３６０°、の方向に、２〜３ｍｍの溝を設け、内側に４穴はΦ＝２，５ｍｍ穴深さ７，２ｍｍである。
【請求項７】
４、Ｂ  第２のボルトは厚さ４ｍｍで、これにガイドピンボルトをねじり回しフエライト層に接続するのである。
【請求項８】
１、Ａ、ボルト頭部の断面、６〜９の溝は金属中心部及び表面に於けるボルト自体のベクトル的要素における、ひずみ率の過剰な状態からガードする為の溝を設けたのである。
【請求項９】
１０〜１３の穴が４箇所にあるのは、弾性素材による働きを意味するものである。半導体素材を使用すると、耐久性、持続性、応力により変形することがないようになるのである。
【請求項１０】
６〜９、１０〜１３はベクトル的な複素数方程式的に多目的な物理学的、力学的に大変、耐久力性の力を発揮する為に兼ね備られものである。
【請求項１１】
１，２，３、による自然的な磁石の力につけ加え、５のガイドピンボルトを回しながら接続しひとつの接点状の完全な接続により非常に強力的に４、Ｂのボルトを確実に固定をなすものである。
【請求項１２】
ボルト軸２８ｍｍの部分にはＭ３＝０，５ｍｍのネジの山をほどこし、ボルト本来のネジの切れ味を最良の状態になすものである。
【請求項１３】
ボルト頭部にネジの山を作り、ボルト軸にも同様にネジの山を作る事で合理的、且つ、迅速性をなすものである。これにより、ガイドピンボルトはの微小の穴が弾性域を示す。
【請求項１４】
４、Ｂと１、Ａにより部材に対し、上と下に、又、左と右により確実に部材を固定し続け、負荷への効果が期待されるのである。あらゆる方向に、対して、手作業を行え、負荷へのニーズに答える事ができる。
【請求項１５】
等方性フエライトの製造  １〜２  ｔ／  平方メートル程度の圧力による、異方性フエライト製造２５〜２６時間、１０００°ｃ前後「焼成」  する。以上のような製造方法で磁石の強さを適性に行う。
【請求項１６】
ナットは円錐形をしており、滑りやガタを防ぎ、確実なボルトの固定をなすものである。空気中、水中に於いて大変有効に使用されるのである。
【請求項１７】
2019190648.tif 000012
ボルト・ナットである。主なところ以外で使用すると、いいのである。
【請求項１８】
１０〜１３に半円を施して行うと、より格段優れた性能を維持され、物理学的に良い特性がなされる。弾性素材として大変有効に使用されるのである。
【請求項１９】
１４、ナット、それから、４、Ｂガイドピンの順に行う工程で、迅速にスピーディーに行えるのである。
【請求項２０】
ネジの山  Ｍ３＝０，５であるが２７°〜３４°ですと、クランク角としてのカミ合わせに優れ、ゴミ、鉄粉が付着しないのが特徴である。
【請求項２１】
ボルトの落下防止により、ガイドピンボルトを３本に増員することが大切である。これに、フエライト磁石を使用するのである。
【請求項２２】
又１、Ａを円錐形にする事で流体圧力のエネルギーの課題に相対応する。水の圧力に対応する為にボルト頭部に溝を複数に兼ね備えた状態である。
【請求項２３】
従来のボルトにガイドピンボルトを加え、フエライト磁石にこれを接続して行う事は両方のボルト頭部に押さえたので合理的に行うものである。
【請求項２４】
１、Ａ  先端部分にθ＝１７°であることで優れている。５、ガイドピンボルトは円錐形をしているのである。これにより、本発明のポール型ガイドピンボルトは非常に優れたボルトである。
【請求項２５】
１、Ａ１４のナットの間に５，５ｍｍの厚さの部材を挿入する。四角形、丸形の部材をボルト頭部とナットの間に挟み込み、負荷への仕事を行うものである。
【請求項２６】
仕事（Ｊ）＝力の大きさ（Ｎ）×力の向きに動いた距離（ｍ）負荷への仕事率は力の大きさ、距離に比例し、金属疲労、圧縮、引っ張りの強さに耐えうる状態でなければなりません。
【請求項２７】
１５、ジヨッター式ノックペンのように２３ｍｍ〜２５ｍｍのバネスプリングに１９のガイドピンボルトに１５ｍｍ程の部分に突起を備え、ノックし、右にねじり突起棒を受けに入れて完全に固定するのである。
【請求項２８】
これにより、ノックぺん式、ガイドピンボルトを備えることにより、迅速、に固定するのである。ジヨッター式ノックぺんのように、ソケット接続で行います。この部分にステンレス、を使用して負荷への仕事に対し又ニーズに答えるものである。
【請求項２９】
フエライト磁石にノック式ガイドピンボルトに完全に接続し、負荷価値による、効用、効果を適面に行うものである。４、Ｂボルト頭部はネジの山がなく、ただ端に固定し、ガイドピンボルトの円錐形だけで押さえ持つものである。
【請求項３０】
2019190648.tif 000013
ナットには、強いネジロック剤を用いる。非常に大切な人名を救う時には、溶接等を行うものである。
【請求項３１】
又、ゲルマニウムメッキ素材を使用して高電圧直流送電の電気接点素材に於いても大変有効に使用されるのである。高電圧のスパーク放電においてもボルト本来の性能が全く衰えない。
【請求項３２】
ジヨッター式ノックペンのソケット部分をガイドピンボルトの接続に使用されるのである。これにより、従来のネジ山式のストッパーピンより迅速、簡単、且つ合理的に行うものである。主要部分をステンレス鋼ＳＵＳ３０４を使用するのである。
【請求項３３】
上述のように、この本発明のポール型ガイドピンボルトは決して容易な品ではありません。電気製品を取り扱うライン、高電圧、高電圧直流送電、人類が原始時代から現代まで使用して来たボルトが人命の命を守り、安全に使用するものでなければならないのである。この為にポール型ガイドピンボルトがである何より大切である。
【発明の詳細な説明】
【技術分野】
【０００１】  この発明は、ポール型ボルトにサシ金ボルトであるガイドピンボルトを使用したくみあわボルトに関するものである。
【背景技術】
【０００２】従来、ボルト頭部にネジ山がなく、ボルト軸にネジの山を有するだけであった。
【特許技術文献】
【０００３】
【特許文献１】ＪＩＳ  Ｂ  １１８９
【発明の概要】
【発明が解決しようとする課題】
【０００４】これは、次のような欠点があった。従来、ボルトは何度も使っているうちにネジのすり減り、錆、折れ曲がり、が多かったので困ることがあった。本発明は、以上のような欠点をなくすためになされたものである。
【課題を解決するための手段】
【０００５】ポール型ボルトにガイドピンボルトを設ける。塑性域を示し、ガイドピンボルトにジヨッター式ノックぺん方式のサシ金ボルトを施す機能を維持するものである。本発明は、以上のようなポール型ガイドピンボルトである。
【発明の効果】
【０００６】ボルトにガイドピンボルトが挿入する、ジョッター式ノックぺん型ガイドピンボルトはフエライト磁石に接続し、４、Ｂボルト頭部を支えて負荷への効能、効果の期待に応えるのである。各種工業部門に於いての多様化による使用がなされ、精密機械、各種産業上の製造ライン、医療部門、超精密機器の主要部分、製造ライン、の部類に多種多様に、自動車産業、造船業界、宇宙開発、航空機の部品海底探査機などの、開発に、使用するのである。【０００７】    図１  本発明の側面図である。    図２  本発明の平面図である。    図３  本発明の平面図である。    図４  本発明の平面図である。    図５  本発明の側面図である。
【発明を実施するための形態】
【０００８】以下、本発明を実施するための形態について説明する。ボルトにねじ山を施し（１、Ａボルト頭部）、それにボルト軸にそれぞれ、Ｍ３＝０，５のねじ山を持ち、一般的にガイドピンはぼるとである。（４、Ｂボルト頭部）ガイドピンボルト頭部は円錐形をなすものである。本発明は、以上のような構造である。
【０００９】日曜大工の高度な技術を要する人、過酷な低温・高温域での使用によいぼるとである。深海の海底探査機の付属品に、又、宇宙の無重力化した環境への対応に大変有効に使用されるのである。
【００１０】ボルトを電子機器接点、にも使用される半導体素材により、電気回路、物理学的にバランスのとれた形態である。これによって、ゲルマニウムメッキ素材、ステンレス鋼を使用を使用されるのである。
【００１１】高電圧直流送電、変電設備、遠隔操作によるデジタル化されたドローン撮影、危険性があるところに使用されるのである。こうすることで、より安全性がはかられるのである。
【００１２】ステンレス鋼、ゲルママムメッキ素材により、超低温・高温域、真空中において優れた性能を発揮するのである。ガイドピンボルトはジヨッター式ノックぺんによるソケットにより効能、効果が得られるのである。
【００１３】４、Ｂのボルト頭部を安定的に使用するには、ガイドピンボルト、これに、頭部の内側にねじ山を設け完全に固定するのである。必要に応じてジヨッター式ノックぺん方式によるり、迅速性、確実、簡単、軽量、小型化がはかれるのである。
【００１４】
2019190648.tif 000003
る。本発明ポール型ガイドピンボルトは大変優れたボルトである。
【００１５】ボルト軸にＭ３〜Ｍ４のネジ山を使用し、弾性、塑性域を示しベクトル的な力がある時に安全性がはかられるのである。
【００１６】ボルト軸に一つの穴を側面からガイドピンボルトを施した状態であることは僅かな弾性素材を示すものである。金属疲労、折れ曲がり、これらに対して僅かな持続力がますのである。
【００１７】応力によって誘起されたマルテンサイト変態が、一定の条件下逆変態しもとの状態に戻ることに生じる弾性を指す。形状記憶合金を応用してボルト軸側面に一つ穴を設けたのである。
【００１８】又、特に弾性回復温度が常温以下の形状記憶合金は、超弾性合金である。非線形弾性材料、ひずみと変位の関係で変形が大きく非線形項が無視できない。
【００１９】
2019190648.tif 000004
２、フエライト磁石  １７ｍｍ３、ボルト軸本体  １４ｍｍ  Φ＝９ｍｍ４、Ｂ  ボルト頭部、厚さ４ｍｍ  Φ＝１３ｍｍ５、１４，５ｍｍ  （ガイドピンボルト）  Φ＝２，８ｍｍ６〜９、（一つのθ＝９０°）＋０°、＋９０°、＋３６０°溝深さ２〜３ｍｍ１０〜１３  、  円形の穴、  Φ＝２ｍｍが４箇所（一つのθ＝４５°）    時計の針の１時、５時、７時、１０時の方向に、穴４箇所  穴深さ７，２ｍｍ2019190648.tif 000005
部材の厚み４，５ｍｍ。上述のように、本発明ポール型ガイドピンボルトはなりうるのである。
【００２０】ボルト頭部は、加工硬化傾向が大きいと伸びが大きくなる。溝を４箇所設けてボルト本来の特性を生かして強く持続力がますのである。
【００２１】トルク係数、ネジの呼び径、締付け軸力が比例しネジをいためないようにする事が必要不可欠であり、ボルトの落下を防ぐ要因となるのである。
【００２２】ニュートン流動により、せん断応力、速度勾配が比例し、粘性の性質をもち、これに対応すること事が大変有効に使用されるのである。
【００２３】トルクは、力学において、ある固定された回転軸を中心にはたらく、回転軸の力のモーメントである。運動の第二法則により、物理学的にバランスがとれたボルトにガイドピンボルトを挿入するのである。
【００２４】ねじ山をＭ３〜Ｍ４にする事は言うまでもなく、クランク角３段ネジ、という事もあり、それ相応の目的に案をまとめるだけである。歯車のような非常に優れた噛み合わせがはかられるのである。
【００２５】モーメント的にバランスが取れた状態になったなら、トルク係数が優れた状態になる。自然の法則により、すべてが丸くおさまるのである。物体は１秒間に約９，８ｍ落下をします。これは、物理的な自然の法則である。
【００２６】
2019190648.tif 000006
理、検査を行い、生産一括管理が必要になる。一つ山のクランクであり製造コスト削減がえられる。
【００２７】角３段ネジ、台形ネジ山の断面が正三角形ををしているネジ山を使用し、歯切れのよい噛み合わせをし、鉄粉やゴミが付着することがないようにできている。半導体素材を使用すると、ゲルマニウムメッキ素材が良いのである。
【００２８】１、Ａボルト頭部、θ＝１７°の角から、円錐の形をしたボルトである。重い負荷により確実にガイドピンボルトとボルト軸は力のモーメント、ベクトル的、自然の法則上トルクが働き、最悪の場合、全てが破壊寸前になるのである。
【００２９】ボルト軸、ナットの間に部材を設け半固定部材があり、これによりボルト本来の特性を生かして、負荷への目的が約束されるのである。余り、ボルト自体の強度を高めすぎると部材の破壊を招くのである。
【００３０】フエライト磁石を使用は等方性が１〜２ｔ／  平方センチメートル  程度の圧力による。この磁石により、ノックぺん方式カイドピンボルトに接続し、４、Ｂボルト頭部の固定に付け加え、頭部の内側にネジ山を使用し、完全に固定するのである。
【００３１】又、ガイドピンボルトはネジを切り、フエライト磁石に完全に接点状の固定をするのである。ボルト自体をゲルマニウムメッキ素材を使用、これにより、電気接点上のガイドピンボルトを使用するのである。
【００３２】エントロピー変化がある場合、応力を加えて引き伸ばした際にエンとロビーが低下し、エンとロビー増大則によってミクロブラウン運動が起こり、元の形状に戻ろうとする力が生じている。
【００３３】物質を引き伸ばすと、もとに戻そうする力が働く、エネルギー弾性である。内部エネルギー弾性、超弾性は形状記憶合金により応力によって変形を加えても加熱することで元の形状に戻る。
【００３４】機能性材料として、パイプ継手、温度感知器、個体エンジン、人工腎臓用の弁等などがあり、ゴムのような超弾性がある。
【００３５】上記のように、応力により変形を加えても熱を加えることでもとの状態に戻ることを本発明ポール型ガイドピンボルトに生かすのである。
【００３６】超弾性素材により、とりおこなうボルトを使用する。ガイドピンボルトを使用し、応力により変形した時に、加熱することにより修理を行うものである。又、ボルト軸も同様にして折れ曲がり、Ｕ  字型に折れ曲がり、このような形状記憶合金は加熱により元に戻すことができる。新しい技術的な発見である。
【００３７】δ＝Ｅε（フックの法則）はエントロピー弾性素材とエネルギー弾性に分けられ、この法則により、本発明ポール型ガイドピンボルトに応用され続け産業基板の礎になりうるのである。
【００３８】形状弾性、体積弾性、塑性変形、弾性変形などは、応力により変形し元に戻らなければボルトの破壊に到達する、弾性は力を０に戻すと元にもどる。塑性は、力を０に戻しても変形が残ってしまう。
【００３９】弾性ステイフネス＝Ｆ／Ｌ＝（ヤング率）×（Ａ／Ｌ）物体の寸法によって変わる。ばねを伸ばすときに外からした仕事は、伸びたばねの中に位置エネルギーとして蓄えれている。
【００４０】Ｆ＝Ｋ  ＸＸは自然長からの伸びまたはちじみＦはばねによる反力フックの法則が近似として成り立つ物質を線形弾性体又はフック弾性体と呼ぶ。
【００４１】ガイドピンボルトは、耐摩耗性・耐荷重性・耐異物性に優れたボルトであり、耐久性があるのである。
【００４２】このボルトは、強い衝撃、破壊に強く、優れた技術である。これにより、負荷価値に対して強く発揮するのである。又、湿気にもすぐれ、効果てきめんです。
【００４３】或いは、ボルト本体を９、８０６６５Ｎ  ＮＩ／ＺＵ  １エポキシ磁石を使用することで工具の落下防止により、迅速な対応ができるのである。ガイドピンボルトにも、フエライト磁石を使用し、ダブル効果をねらうのである。
【００４４】ナットには、強化ゴムを使用する、ボルト自体のガタや緩みに大変有効に使用されるのである。ボルトとナットの間は４〜４，５ｍｍでありそれ相応に発揮でき、維持されるのである。
【００４５】ボルトの落下を食い止めることができる。これにより、安全性があり、確実性、維持力、持続性が発揮できるのである。ばねの伸びちじみにより、ボルトの落下を防止する事ができる。
【００４６】ボルトの落下防止にＭ５を使用することができます。ネジのらせん状ネジ山を使用し、歯切れのよいかみ味を示し、格段の威力を  発揮するのである。
【００４７】１、Ａの頭部に、Ｍ３＝０，５のネジ山を使用し、ボルト軸はＭ５を使用。これにより、ボルト自体の機能が維持されるのである。場合により変形することがないようにステンレス鋼を使用する。
【００４８】Ｔｆ＝０，３５×Ｋ（１＋１／Ａ）×６ｙ×Ａｓ×ｄＴｆ：推奨締付トルクＡ：締め付け係数６ｙ：下降点又は耐圧力Ａｓ：有効断面積ボルトは、トルクにより計算によりいためない事が必要不可欠である。本発明ポール型ガイドピンボルトは性能を維持されるのである。
【００４９】ボルトは、応力により変形、折れ曲がり、切断される、引っ張り、圧縮に対して僅かな、持続力が約束されるのである。金属疲労にも耐久力があるのである。
【００５０】ボルトネジが弱いと振動による緩みの原因になり、強すぎると被締結部材の破壊を引き起こす。ネジが塑性伸びを引き起こし、緩みの原因になるのである。弾性素材においても同様といえる。
【００５１】ボルトにＳＩＣ半導体素材を使用すると、超高電圧る耐え抜くのである。ボルトの応力により変形することがないように出来るのである。
【００５２】このボルトは、導体と絶縁体の中間素材からなり、絶縁効果が期待され、耐摩耗性、耐酸性、などに最も優れたボルトである。
【００５３】クラウジスの不等式により耐久力、持続力、応力により変形することが絶対にないのである。方程式的に言えば左右対称にすることで、自然な流れが物理学的にバランスがなりたつ。
【００５４】ネジを締め付け、軸力をかけていくと、降じょう点までは軸力に比例してネジが伸び軸  力を除くと、ねじの伸びは元に戻る。これら弾性、塑性域に於いて、ボルトの溝深さ、ガイドピンボルトの穴を設けたのである。
【００５５】ボルトは、一般的にみてわずかに伸び、限界状態に達すると、やがて切断され、引っ張り、圧縮試験では、ボルトの形状で、僅かに異なるのである。ボルト頭部の４つの溝、側面に４箇所の穴、ガイドピンボルトの穴はそれぞれ、弾性素材を位置ずけるものである。
【００５６】ボルト軸、それぞれの穴は弾性素材をもち、他の領域は塑性域を示すものである。負荷に対するひずみ率を軽減する。ベクトル的にボルトの折れにと曲がりにつよいのである。
【００５７】応力により誘起されたマルテンサイト変態が、一定の温度条件下逆変態しもとの形状に戻ることにより生じる弾性を指す。
【００５８】ステンレス鋼は高温の熱が加わる耐食性が悪くなりボルトが破損する恐れがあります。特にオーステナイト系にクリーブ現象や粒界腐蝕が起きやすく、又マルテンサイト系は危うくなる。
【００５９】パーツフィーダーにより、振動、物同士が接触することによりおきるのである。本発明ポール型ガイドピンボルトは、絶対にあり得ないことである。
【００６０】ひずみ率εはε＝Ｉ−Ｉ０／Ｉ０＝ΔＩ／Ｉ０応力によりひずみ率は変わり又、ボルトの形状により影響力があります。
【００６１】せん断ひずみの定義τ＝ΔＩ／Ｉ垂直ひずみとは変形の方法が異なるのである。
【００６２】ひずみテンソルΔＩ／Ｉ＝ｔａｎθ  さらに、θが微小だということを孝慮すれば、θで近似することができる。    ｔａｎθ≒θ
【００６３】ボルトは、金属は降じょう点（弾性域）を越えてわずかに塑性域に入ったところで応力が最大にこの領域でボルトを締め付けるのが塑性域締付である。弾性、塑性を示し、応力によるひずみに耐え抜くのである。
【００６４】力学的エネルギーは、熱力学での内部エネルギーや他のエネルギーに変わりうる。この場合、力学的エネルギーの保存は成立しなくなるが、エネルギー全体としては保存しているのである。
【００６５】電界集中を緩和し、空間変調型接合終端構造を用いたのである。ポリイミド膜を用いた表面保護を施し、表面での放電を抑制した。
【００６６】低い電圧で素子は絶縁破壊を起こし、理論値の約半分（５０％）程度の耐圧しか得られない。ＰＮ接合の周辺部に局所的にアルミニウムを適切な密度でイオン注入し、２００００ボルト以上の耐圧である。これにより、本発明ポール型ガイドピンボルトに使用することでより一層効果が期待されるのである。
【００６７】ボルトに僅かな小さな穴を設けたことにより、ばなの線径を伴い、抜群の威力が発揮するのである。ボルト頭部に４箇所の穴をあけ、その表面に４箇所の溝、ガイドピンボルトの穴を設けたのである。弾性域を示し、効果が期待されるのである。
【００６８】ボルトは、ネジの軸には、振動、衝撃、緩みが原因により、不具合が生じたことにより困ることがある。ボルト軸に使用されるナットには、二重のナットを挿入するのである。
【００６９】ボルトにゲルマニウムメッキ素材を使用すると電気エネルギーなど、その他の影響が無くて済み超高温・低温域に抜群の威力を発揮するのである。非常に良い絶縁効果がありすぐれた素材である。
【００７０】ステンレス鋼ＳＵＳ３０４を使用し、強力な荷重に耐え抜き、強い荷重、衝撃に耐えうるものである。必要に応じて、この素材を使用すると大変役に立ちます。
【００７１】このボルトは円錐形の形をしている、全体的にみてボルト頭部は、目立たない円錐のかたちである。水圧に強く、頑丈である。
【００７２】揚力的にもすぐれ、風を自在に切り前に突き進むのである。ボルト頭部に円錐形に４箇所の溝を施しています。これにより、すぐれた効果を発揮する。
【００７３】深海の海底による水圧にも耐えるようにできる。少ない推進力でより遠くえ突き進むのである。ボルト素材としては必要に応じてステンレス鋼を使用する。
【００７４】使用する素材としては、陸、海、空中、宇宙空間に於いては、それぞれの持つ素材を使用するとよいのである。より大切なことはその場に必要な応力、ひずみに応じた素材を使用すると事実的には良いのである。
【００７５】ボルトの形状、応力により変形し、金属疲労によりボルトが破損して尊い命が失われ、幾ら航空機の点検整備を行っても中々完全無欠の状態に追いつけない。本発明ポール型ガイドピンボルトを使用すると大変有効に使用されるのである。
【００７６】ガイドピンボルトにフエライト磁石を使用するので、安定性、静音性、迅速性があり大変有効に使用されるのである。それに、局所的にステンレス鋼を使用する。ジヨッター式ノックぺん方式ガイドピンの他にも、ボルト式でよいのである。
【００７７】本発明ポール型ガイドピンボルトは、家庭用にはあまりしようされず、その他の分野に於いて大変有効に使用され、なくてはならい素材のぼるとである。高度な技術を持つ、日曜大工者の方がこのボルトを使用するのである。
【００７８】１、Ａに、幾何学図形による正三角形を丸型穴に変えて４箇所の窪みを作るのである。多重の衝撃、振動、応力により変形することがないように行うのである。又、このボルトは、アルミニウムの素材にも最適である。
【００７９】上述のように、弾性素材としての効用、効果をもたらすのである。わずかながらボルトが伸び、ちじみをすることで、成り立ち限界状態で破壊をまねくのである。
【００８０】１、Ａのボルト、頭部側面に、丸型穴に変えて半円型穴を設けたのである。ベクトル方程式的にボルトに対しての応力により、大変持続力がますのである。弾性域を示し、大変有効に使用されるのである。
【００８１】４、Ｂ  ボルト頭部は、持続可能な限り強力なＭ５による、ねじ山を兼ね備えた、第二のボルト頭部を保有するのである。これにより、ガイドピンボルトは、３本にして、ジヨッター式ノックぺん方式は第二の案件といたします。
【００８２】本発明ポール型ガイドピンボルトは、完成品にボルトの表面にゴム繊維強化を使用する。これにより、金属疲労にも耐えうるように補足的にボルトを使用するのである。ひずみに対する応力により変形することがないようにはからうのである。
【００８３】１、Ａ  の頭部脇に３本ネジの山とボルト軸の主体のネジ山を使用し、この間ねじなし部分５ｍｍが存在するのである。このことは、ナットの増し締めを防止するためである。この３本ネジ山を使用し、部材の使用に役立てる為である。
【００８４】４、Ｂ  のボルト頭部に３本のガイドピンボルトは、正三角形上の位置に均等的にボルトを施して行います。これにより、ボルト頭部の３箇所はより優れたものになりうるのである。
【００８５】ボルトの色彩は、黒っぽい色、青色、黄色、赤色、などお電気メッキを施して行います。メッキ素材を使用すると、耐摩耗性、耐腐食性、潤滑性、見榮などを補うため行うことができる。これらの特徴を生かして、各工業部門に応用と期待が高まっている。
【００８６】
2019190648.tif 000007
使用されるのである。かれら、プラスチックを使用するとより軽量化が図られ、丈夫で、ステンレスに近い素材になるのである。
【００８７】真空中で、無重力化したところでは、半導体素材ＳＩＣ半導体ネジが使用され、高温・超低温に耐えうるのである。又海洋資源探査機に使用されるのである。
【００８８】容器の中に入れられた水は、容器側面や底面を押し、水中に物体があればそれを押し、水分子同士も押し合うことを水圧というのである。又作用・反作用、パスカルの原理により垂直、下方向の力が少し強くなるという原理によりｓＩｎ  ９０−、方向に溝をいれた。これは、ボルト軸である。
【００８９】気体の圧力、容器内の気体分子はどの分子も同じ力で壁に衝突し、容器の真ん中付近の分子だけ勢いが強く、端の方の分子は勢いが弱い、ｐ＝Ｆ／Ｓ分子の熱運動では、温度が高いほど、圧力は大きくなる。このように、ボルト頭部の溝、ガイドピンボルトの穴、ボルト頭部の４箇所の穴が必要である。
【００９０】プラスチックの引張強さ、弾性率は２〜４ｋｇｆ／ｍ平方メートル、２００〜３００ｋｇｆ／ｍ  平方メートル、鉄やアルミニウムの引張強さ１０〜５０ｋｇｆ／ｍ平方メートル弾性率７０００〜２１０００ｋｇｆ／ｍ平方メートルに対してかなり小さい、合成樹脂として生み出されたのが強化プラスチックである。本発明ポール型ガイドピンボルトは、この素材を使用します。
【００９１】炭素繊維ＦＲＰにもこのネジが使用され続かられるのである。軽量化、丈夫、耐久性、耐久力がはかられる。半永久的に無限大にこの素材が使用され続けるのである。
【００９２】ボルトの荷重シナリオでは、ボルトの結合の軸の力は正確ではない場合があり、与圧荷重を減少させるとボルトについて「緩める」という結果をもたらすことができ、ボルトと構成部品の間の接触をなくすことができる。
【００９３】溶接加工コンフイギュレーションは、鋼材レイアウトの異なるコンフイギュレーションを追加して、それらの１つプロファイルとしてライブラリーフイーチャーに保存できる。又、ボルトの重要性に応じてステンレスを溶接を行うものである。
【００９４】溶接フイチャー  は、フイレットや押し出しのようなフイチャーとは異なり、溶接フイチャーでは設計機能環境の設定を行うものである。
【００９５】ボルトとナットの緩む原因の一つは振動です。あらゆる手段をしよしても完全にナットの緩みを防止する事ができない。
【００９６】圧力容器の蓋をボルトで固定する場合、圧力がかかると変形する。最悪の場合、蓋が容器から離れて密閉が保たれない適度の締付が必要これにより、ボルトの締付には細心の注意が必要である。締付力が適正に確保されれば、緩み止めを施工しなくても緩むことがない。
【００９７】締め付けトルクＴ＝Ｆ１×Ｌ［Ｎ・ｍ］ネジを締め付ける時は、締め付けトルク小さすぎるとネジがゆるみ、締め付けトルクが大きすぎるとネジが破損するのである。
【００９８】Ｔ＝ＫＤＦＴ：締め付けトルク  Ｎ・ｍＦ：軸力          Ｎｄ：ネジの呼び径    ｍｋ：トルク係数実際にかかる軸力は、ネジの座面の表面粗さやネジのピッチなどによって変わってくるのである。
【００９９】１  ワークの固定、締結２  駆動力の伝達、制動力の伝達３  気体・液体の密閉この時に固定する力を、軸力（締付け力）と言い、「適切な軸力を与える」ことがネジの締付けの目的になる。
【０１００】締め付けトルクの公差だけを小さくしてトルク係数のバラツキを小さくしなければ無意味である。  千鳥締付け、二段締付け、二度締め、安定化締付けなどがある。
【０１０１】ボルト／ナットが締め込まれてボルトが引き伸ばされることにより、バネと同様にボルトには元に戻ろうとする力が働き、これが軸力になる。
【０１０２】１、パーツ（被締結材）の間で滑りを起こさない２、パーツ同士が遊離しない３、（ボルト自身など締結部材を含む）各パーツが壊れない（降状しない）４、ボルトが疲労破壊しない５、締結するための正確な締め付けボルト締結体には、相手材やかかる外力によって設計上適正な軸力値が存在する。
【０１０３】上述のように、ボルト本来の特性を生かして、本発明ポール型ガイドピンボルトは、成り立つのである。ボルトナットの締め付けが適度に行わなければならないのである。
【図面の簡単な説明】
【０１０４】
【図１】本発明ポール型ガイドピンボルトの側面図である。
【図２】本発明ポール型ガイドピンボルトの平面図である。
【図３】本発明ポール型ガイドピンボルトの平面図である。
【図４】本発明ポール型ガイドピンボルトの側面図である。
2019190648.tif 000008
４、Ｂボルト頭部の厚さ  ４〜６ｍｍ    Φ＝９，５ｍｍ（Ｍ３〜Ｍ５のネジ山を使用し）2019190648.tif 000009
１５ｍｍにソケット部分接続    ガイドピンボルトは、３本使用６〜９    θ＝９０°、１８０°、２７０°、３６０°  溝深さ４ｍｍ１０〜１３    時計の針の１時、  ５時、  ７時、  １０時    Φ＝２，５ｍｍ              穴深さ７，２ｍｍ１４〜１６    ガイドピンボルトは、  正三角形状  ３本（５、  上述に同じく）１７    ジヨッター式ノックペん方式ガイドピンボルトは、（５、  上述に同じ）2019190648.tif 000010
１５〜１９ｍｍでソケットに完全にグリップし固定2019190648.tif 000011
【図１】
2019190648.tif 000014
【図２】
2019190648.tif 000015
【図３】
2019190648.tif 000016
【図４】
2019190648.tif 000017
【手続補正書】
【提出日】令和1年6月2日(2019.6.2)
【手続補正１】
【補正対象書類名】特許請求の範囲
【補正対象項目名】全文
【補正方法】変更
【補正の内容】
【特許請求の範囲】
【請求項１】
ボルト頭部とボルト軸にＭ３＝０．５ｍｍのネジ山を施したポール型ガイドピンボルトである。ボルトにタングステン素材など半導体素材を用いることを特徴とするボルト。
電気伝導素材に対して、絶縁効果を高める為に半導体素材を使用するものである。
【請求項２】
強力なフエライト磁石、ボルト頭部から１７ｍｍとボルト軸部１９ｍｍの長さから成るボルトである。
磁気の強力な力によりボルト軸部とボルト頭部をガードして地面に落下する事がないことを特徴とする請求項１に記載のボルト。
【請求項３】
ボルト軸より２．５ｍｍ程の厚みの右側のボルト頭部である。この４、からガイドピンボルトを回してからフエライト磁石に貫通するのである。
他のボルトとは異なり人体に良い影響を与えることを特徴とする請求項１〜２に記載のボルト。
【請求項４】
４、ボルトがガイドピンボルトとフエライト磁石により確実に支えられ、ボルトネジ本来の特性を生かしていくものである。
強力な磁石により不具合を無くして行うボルトで且つ合理的に行うことを特徴とする請求項１〜３に記載のボルト。
【請求項５】
１、Ａのボルト頭部、３、はネジの山がＭ３＝０．５ｍｍで金属疲労が少なく、又、負荷への利用価値が大変高い。
錆び、鉄ぷん、ゴミの付着が無いことを特徴とする請求項１〜４に記載のボルト。
【請求項６】
６〜９はθ＝９０°で三角関数的に０°、９０°、１８０°、３６０°、の方向に２〜３ｍｍの溝を設け、内側に４穴はφ＝２．５ｍｍ  穴深さ７．２ｍｍである。流体圧力のエネルギーにもたいしよできる事を特徴とする請求項１〜５に記載のボルト。
【請求項７】
４、Ｂ第２のボルトは厚さ４ｍｍで、これにガイドピンボルトをねじり回しフエライト層に接続するのである。
又、これにより１、Ａと４、Ｂのボルト頭部が完全に接続される事を特徴とする請求項１〜６に記載のボルト。
【請求項８】
１、Ａ、ボルト頭部の断面、６〜９の溝は金属中心部及び表面に於けるボルト自体のベクトル的要素における、ひずみ率の過剰な状態からガードする為の溝を設けたのである。
且つ物理的な負荷にたいして大変有効こ行える事を特徴とする請求項１〜７に記載のボルト。
【請求項９】
１０〜１３の穴が４箇所にあるのは、弾性素材による働きを意味するものである。半導体素材を使用すると、耐久性、持続性、応力により変形することがないようになるのである。
又、上下、左右からのバネの力に耐えられ、合力に対する変形、キレツが入るのを防ぐのであり、持続性がある事を特徴とする請求項１〜８に記載のボルト。
【請求項１０】
６〜９、１０〜１３はベクトル的な複素数方程式的に多目的な物理学的、力学的に大変、耐久力性の力を発揮する為に兼ね備えられたものである。
ボルト自体の変形、折れ曲がり、キレツが入る事がないことを特徴とする請求項１〜９に記載のボルト。
【請求項１１】
１、２、３による自然的な磁石の力につけ加え、５のガイドピンボルトを回しながら接続し、ひとつの接点状の完全な接続により非常に強力的に４、Ｂのボルトを確実に固定をなすものである。
フエライト磁石とガイドピンボルトにより接続される事を特徴とする請求項１〜１０に記載のボルト。
【請求項１２】
ボルト軸２８ｍｍの部分にはＭ３＝０．５ｍｍのネジ山をほどこし、ボルト本来のネジの切れ味を最良の状態になすものである。
クランク角８５°を持ち、そして頂上付近は台形の形をしたネジ山をもつもので右角４２．５°左角４２．５°の傾斜をもつクランク角である事を特徴とする請求項１〜１１に記載のボルト。
【請求項１３】
ボルト頭部にネジの山を作り、ボルト軸にも同様にネジの山を作る事で合理的、且つ、迅速性をなすものである。
これにより、ガイドピンボルトは微小の穴が弾性域を示す。ボルト頭部の塑性と、ボルト軸の弾性素材によりバネ自体の応力による耐久性と持続性が約束されることを特徴とする請求項１〜１２に記載のボルト。
【請求項１４】
４、Ｂと１、Ａにより部材に対し、上と下に、又、左と右により確実に部材を固定し続け、負荷への効果が期待されるのである。あらゆる方向に、対して、手作業を行え、負荷へのニーズに答える事ができ、又、人体に良い影響と効果を与え続ける事を特徴とする請求項１〜１３に記載のボルト。
【請求項１５】
等方性フエライトの製造１〜２ｔ／平方メートル程度の圧力による、異方性フエライト製造２５〜２６時間１０００℃前後「焼成」する。以上のような製造方法で磁石の強さを適性に行う。これにより接続が完全に行える磁石である事を特徴とする請求項１〜１４に記載のボルト。
【請求項１６】
ナツトは円錐形をしており、滑りやガタを防ぎ、確実なボルトの固定をなすものである。空気中、水中に於いて大変有効に使用されるのである。
水の抵抗、よう力に対して、より効果的な状態が持続される事を特徴とする請求項１〜１５に記載のボルト。
【請求項１７】
2019190648.tif 000018
ムを使用したボルト・ナツトである。主なところ以外で使用するといいのである。
強化ゴムとステンレス鋼などを使用していくと非常に良い効果と持続性が維持される事を特徴とする請求項１〜１６に記載のボルト。
【請求項１８】
１０〜１３に半円を施して行うと、より格段優れた性能を維持され、物理学的に良い特性がなされる。弾性素材として大変有効に使用されるのである。
又、応力によりすぐれた事を特徴とする請求項１〜１７に記載のボルト。
【請求項１９】
１４、ナツト、それから、４、Ｂガイドピンの順に行う工程で、迅速にスピーデイに行えるのである。
且つ、ジヨツタ式ノツクペンによるガイドピンボルトにより行う事を特徴とする請求項１〜１８に記載のボルト。
【請求項２０】
ネジの山Ｍ３＝０．５ｍｍであるが２７°〜３４°ですと、クランク角としてのカミ合わせに優れ、ゴミ、鉄粉が付着しないのが特徴である。
非常に良い歯車のようなかみ合わせのあることを特徴とする請求項１〜１９に記載のボルト。
【請求項２１】
ボルトの落下防止により、ガイドピンボルトを３本に増員することが大切である。これにフエライト磁石を使用するのである。これにより、二重のサクを施し、行える様にすることを特徴とする請求項１〜２０に記載のボルト。
【請求項２２】
又１、Ａを円錐形にする事で流体圧力のエネルギーの課題に対応する。水の圧力に対応する為にボルト頭部に溝を複数に兼ね備えた状態である。
又ステンレス鋼、強化ゴム、その他半導体素材を使用することで錆びに強く、又、耐久性が持続されるのであり約束される事を特徴とする請求項１〜２１に記載のボルト。
【請求項２３】
従来のボルトにガイドピンボルトを加え、フエライト磁石にこれを接続して行う事は両方のボルト頭部に押さえたので合理的に行うものである。
ボルトにガイドピンボルトを加える事によりいっそう効果が維持され持続される事を特徴とする請求項１〜２２に記載のボルト。
【請求項２４】
１、Ａ先端部分にθ＝１７°であることで優れている。Ｓ、ガイドピンボルトは円錐形をしているのである。これにより、本発明のポール型ガイドピンボルトは非常に優れたボルトである。ボルトにガイドピンボルトを扱うのは電気的な接続を行う要素を持ち、電気エネルギーの供給を行う為のボルトで、物の発明である事を特徴とする請求項１〜２３に記載のボルト。
【請求項２５】
１、Ａ１４のナツトの間に５．５ｍｍの厚さの部材を挿入する。四角形、丸形の部材をボルト頭部とナツトの間に挟み込み、負荷への仕事を行うものである。ナツトの間に部材を挿入する事により、合理的に行え、耐久性、破壊力に対応できる事を特徴とする請求項１〜２４に記載のボルト。
【請求項２６】
仕事（Ｊ）＝力の大きさ（Ｎ）×力の向きに動いた距離（ｍ）負荷への仕事率は力の大きさ、距離に比例し、金属疲労、圧縮、引っ張りの強さに耐えうる状態でなければなりません。
力のモーメントによるキレツ、破壊力に対応できるすぐれたボルトであり、より持続性のある事を特徴とする請求項１〜２５に記載のボルト。
【請求項２７】
１５、ジヨツター式ノツクペンのように２３ｍｍ〜２５ｍｍのバネスプリングに１９のガイドピンボルトに１５ｍｍ程の部分に突起を備え、ノツクし、右にねじり突起棒を受けに入れて完全に固定するのである。
ジヨツター式ノツクペンによるソケツトによりガイドピンボルトを完全にガードし、固定する事を特徴とする請求項１〜２６に記載のボルト。
【請求項２８】
これにより、ノツクペン式、ガイドピンボルトを備えることにより迅速、に固定するのである。ジヨツター式ノツクペンのようにソケツト接続で行います。この部分にステンレスを使用して負荷への仕事に対し又ニーズに答えるものである。
又アルミニウム合金を使用することで、より効果的になることを特徴とする請求項１〜２７に記載のボルト。
【請求項２９】
フエライト磁石にノツク式ガイドピンボルトに完全に接続し、負荷価値による、効用、効果を適面に行うものである。４、Ｂボルト頭部はネジの山がなく、ただ端に固定し、ガイドピンボルトの円錐形だけで押さえ持つものである。
ノツク式ガイドピンボルトの素材にアルミニウム合金やゲルマニウムメツキ素材を扱うことでより良い特徴のある請求項１〜２８に記載のボルト。
【請求項３０】
2019190648.tif 000019
ボルト軸、ボルト頭部、ナツトには強いネジロツク剤を用いる。非常に大切な人名を救う時には、溶接等を行うものである。
ボルト頭部近６ｍｍ〜８ｍｍまで、ネジ山を施して行う事で増しじめを防ぐことを特徴とする請求項１〜２９に記載のボルト。
【請求項３１】
又、ゲルマニウムメツキ素材を使用して高電圧直流送電の電気接点素材に於いても大変有効に使用されるのである。高電圧のスパーク放電においてもボルト本来の性能が全く衰えない。
超高温・低温いきでの使用が出来ることを特徴とする請求項１〜３０に記載のボルト。
【請求項３２】
ジヨツター式ノツクペンのソケツト部分をガイドピンボルトの接続に使用されるのである。これにより、従来のネジ山式のストツパーピンにより迅速、簡単、且つ合理的に行うものである。
又、より良いダイアモンドの様な素材を使用する事で耐（主要部分をステンレス鋼ＳＳ４００を使用して行うボルト）久性が増し、持続する事を特徴とする請求項１〜３１に記載のボルト。
【請求項３３】
上述のように、この本発明のポール型ガイドピンボルトは決して容易な品ではありません。電気製品を取り扱うライン、高電圧、高電圧直流送電、人類が原始時代から現代まで使用して来たボルトが人命の命を守り、安全に使用するものでなければならないのである。この為にポール型ガイドピンボルトが何より大切である。
この本発明は、医学用品、工業部門、自動車業界、宇宙産業海洋資源たん査など他の世界に使用され続けます。
この事による特徴とする請求項１〜３２に記載のボルト。
【手続補正２】
【補正対象書類名】明細書
【補正対象項目名】０００８
【補正方法】変更
【補正の内容】
【０００８】以下、本発明を実施するための形態について説明する。
ボルトにねじ山を施し（１、Ａボルト頭部）、それにボルト軸にそれぞれ、Ｍ３＝０，５のねじ山を持ち、一般的にガイドピンはボルトである。（４、Ｂボルト頭部）ガイドピンボルト頭部は円錐形をなすものである。
本発明は、以上のような構造である。
水中に使用され、水圧にも耐えられるボルトである。
【手続補正３】
【補正対象書類名】明細書
【補正対象項目名】００３０
【補正方法】変更
【補正の内容】
【００３０】フエライト磁石の使用は等方性が１〜２ｔ／平方メートル程度の圧力による。
この磁石により、ノツクペン方式ガイドピンボルトに接続し４、Ｂボルト頭部の固定に付け加え、頭部の内側にネジ山を使用し、完全に固定するのである。
ジヨツター式ガイドピンボルトは、ソケツトと突起物にピツクアツプして行うものである。
【手続補正４】
【補正対象書類名】明細書
【補正対象項目名】００８１
【補正方法】変更
【補正の内容】
【００８１】４、Ｂボルト頭部は、持続可能な限り強力なＭ５による、ねじ山を兼ね備えた、第２のボルト頭部を保有するのである。
これにより、ガイドピンボルトは、３本にして、ジヨツター式ノツクペン方式は第２の案件といたします。
ストツパーピン方式、極普通のネジを使用し、スピーデイー且つ、完全な作動を行う事を前提とするのである。
【手続補正５】
【補正対象書類名】明細書
【補正対象項目名】００９６
【補正方法】変更
【補正の内容】
【００９６】圧力容器のふたをボルトで固定する場合、圧力がかかると変形する。最悪の場合、ふたが容器から離れて密閉が保たれない適度の締付が必要であり、なくてはならない。これにより、ボルトの締付には細心の注意が必要である。締付力が適正に確保されれば、緩み止めを施工しなくても緩むことがない。
こうした部類にはステンレス鋼ＳＵＳ３０４を使用する事で耐久性と持続性がよりいっそう増すのである。